(57)【要約】【課題】冷蔵庫のドアの前面部などの取付壁面に取り付けられるファイルに関し、ケースから使用者の希望する量のみポケットを露出した状態を保持することができるようにしたものである。【解決手段】開口部101を有するケース100と、開口部101から出し入れ自在に収納されるポケット200とを備えるファイル10であって、ケース100の外面側には、磁石140を備えており、当該磁石140の磁力によって強磁性体よりなる取付壁面に取り付けられるように構成され、ポケット200には、磁石213を備えており、ケース100が取付壁面に取り付けられた状態で、当該取付壁面に取り付けられるように構成されている。【選択図】図１
2010274610.tif 000002
【特許請求の範囲】
【請求項１】
開口部を有するケースと、
前記開口部から出し入れ自在に収納されるポケットとを備えるファイルであって、
前記ケースには、
磁石を備えており、当該磁石の磁力によって強磁性体よりなる取付壁面に取り付けられるように構成され、
前記ポケットには、
磁石を備えており、前記ケースが取付壁面に取り付けられた状態で、当該取付壁面に取り付けられるように構成されていることを特徴とするファイル。
【請求項２】
前記ポケットは、複数枚重ねられた状態で前記ケースに収納されるとともに、
前記複数枚重ねられたポケットのうち前記取付壁面側に位置するポケットには、
前記取付壁面とは反対側に位置するポケットの前記磁石が、取付壁面に吸着しやすくするための穴部を備えていることを特徴とする、請求項１に記載のファイル。
【請求項３】
前記ケースの開口部には、前記ポケットの抜け出しを防止するための抜け出し防止部を備えていることを特徴とする、請求項１又は請求項２に記載のファイル。
【請求項４】
前記ポケットの下端部には、当該ポケットの抜け出しを防止するための抜け出し防止片を備えていることを特徴とする、請求項１又は請求項２に記載のファイル。
【請求項５】
前記抜け出し防止部は、
前記開口部の両端を狭めることにより形成され、
前記抜け出し防止片は、
前記ポケットを、前記抜け出し防止部により狭められた前記開口部の開口幅と同じ幅又は当該開口幅よりも狭い幅に形成し、当該ポケットの下端部を前記抜け出し防止部により狭められた前記開口部の開口幅よりも広くすることにより形成されることを特徴とする、請求項３又は請求項４に記載のファイル。
【請求項６】
前記抜け出し防止部は、前記ケースの上部側を開口部側に折り返すことで、当該開口部の幅よりも狭い幅とされたことを特徴とする、請求項５に記載のファイル。
【請求項７】
前記ポケットは、
平板状のベースとシートとを重ねて溶着することにより構成され、
当該ベースとシートとは、いずれか一方を他方に比べ厚く構成されていることを特徴とする、請求項１〜請求項６のいずれか１項に記載のファイル。
【請求項８】
前記ベースとシートとは、前記ポケットの出し入れ方向と、当該出し入れ方向に直交する方向の２方向を開放し、他の２方向を溶着させて形成されることを特徴とする、請求項７に記載のファイル。
【請求項９】
前記ポケットの磁石は、当該ポケットの前記ベースとシートとの厚く構成された一方に設けられるとともに、フィルムにより覆われることで段差を無くして構成されることを特徴とする請求項７又は請求項８のいずれか１項に記載のファイル。
【請求項１０】
前記ケースの表面には、
当該ケースの端辺で当該ケースから開くように構成された表紙部を備え、
当該表紙部が開いた状態において外部に露出する部分に収容物保持手段を備えていることを特徴とする、請求項１〜請求項９のいずれか１項に記載のファイル。
【請求項１１】
前記ケースには、
前記開口部を複数備えており、各開口部からそれぞれホルダーが出し入れされるようにホルダーが収納されていることを特徴とする、請求項１〜請求項１０のいずれか１項に記載のファイル。
【発明の詳細な説明】
【技術分野】
【０００１】
この発明は、冷蔵庫のドアの前面部など、鉄板などの強磁性体からなる取付壁面に取り付けられるファイルに関する。
【背景技術】
【０００２】
従来、書類を収納した複数枚のシート状のファイルに磁石などを設け、ファイルを開いた状態で冷蔵庫などに貼り付ける収納ファイルが知られていた（例えば特許文献１の図１参照）。
また、ケースの開口部の両側に設けられた磁石が、ケースから引き上げられたカードの両側下端に突設された引掛片を吸着することにより、カードを視認可能な状態で保持するインデックスが知られていた（例えば特許文献２の図３参照）
【先行技術文献】
【特許文献】
【０００３】
【特許文献１】特開2004-249724号公報
【特許文献２】実公昭63-23168号公報
【発明の概要】
【発明が解決しようとする課題】
【０００４】
しかし、上記したような従来の収納ファイルは、種々の問題点があった。
（１）冷蔵庫などに貼り付けられた状態で、ファイルを開いた状態か閉じた状態の何れか一方でしか維持することができず、ファイルに収納された書類の一部のみ露出させることができないという問題点があった。
（２）ファイルが貼り付けられる壁面の面積が、開いた状態のファイルの面積よりも小さい場合には、ファイルを閉じた状態でしか貼り付けることができないという問題点があった。
（３）冷蔵庫などに貼り付けられた状態でシート状のファイルをめくる動作をすると収納ファイルの貼り付けが不安定になり、収納ファイルが落下しやすくなるという問題点があった。
【０００５】
また、上記したような従来のインデックスは、種々の問題点があった。
（４）カードが全て露出された状態でのみ保持されるため、カードの一部を引き上げた状態や、複数のカードを視認可能な状態で保持することができないという問題点があった。
（５）カードの下端で、当該カードを引き上げられた状態で保持するため、上側が支えられていないカードが不安定になりやすいという問題点があった。
本発明は、上記のような問題点に鑑みなされたものである。
【課題を解決するための手段】
【０００６】
本発明に係る第１のファイルは、開口部を有するケースと、開口部から出し入れ自在に収納されるポケットとを備える。ケース（好適にはその外面側）には、磁石を備えており、当該磁石の磁力によって強磁性体よりなる取付壁面に取り付けられるように構成される。
これにより、取付壁面、例えば、冷蔵庫のドアの前面部などに簡単にファイルを取り付けることができる。
【０００７】
ポケットには、磁石を備えており、ケースが取付壁面に取り付けられた状態で、当該取付壁面に取り付けられるように構成されている。
これにより、ポケットをケースから引き出した視認可能な状態で保持することができ、ポケットの収納された書類などを見やすくすることができる。すなわち、ポケットをケースから所望量引き出した状態を維持することができる。
【０００８】
ポケットは、複数枚重ねられた状態でケースに収納される。
これにより、例えば一つのポケットはケースから全て引き出した状態で固定し、他のポケットは一部のみを引き出した状態で固定し、いずれのポケットに収納された収納物も常時表示するということも可能となる。
また、複数枚重ねられたポケットのうち取付壁面側に位置するポケットには、取付壁面とは反対側に位置するポケットの磁石が、取付壁面に吸着しやすくするための穴部（窪みでもよく、貫通孔（孔部）でもよい。）を備えている。
これにより、複数枚のポケットをケースから引き出した状態で保持することがより確実にでき、複数枚のポケットに収納された書類などを同時に視認することができる。
【０００９】
ケースの開口部には、ポケットの抜け出しを防止するための抜け出し防止部を備えている。
これにより、ポケットが安易に抜け出してしまうことを防止することができ、ポケットを引き出す際に気を遣うことが必要なくなる。
【００１０】
具体的には、抜け出し防止部は、開口部の両端を狭めることにより形成される。
より具体的には、抜け出し防止部は、ケースの上部側を開口部側に折り返すことで、当該開口部の幅よりも狭い幅とされる。
これにより、容易にポケットの抜け出しを防止することができる。
【００１１】
また、ポケットは、抜け出し防止部により狭められた開口部の開口幅と同じ幅又は当該開口幅よりも狭い幅に形成され、下端部が抜け出し防止部により狭められた開口部の開口幅よりも広く形成される。
【００１２】
ポケットの下端部には、当該ポケットの抜け出しを防止するための抜け出し防止片を備えている。
これにより、ポケットが安易に抜け出してしまうことを防止することができ、ポケットを引き出す際に気を遣うことが必要なくなる。
具体的には、抜け出し防止片は、ポケットを、抜け出し防止部により狭められた開口部の開口幅と同じ幅又は当該開口幅よりも狭い幅に形成し、当該ポケットの下端部を抜け出し防止部により狭められた開口部の開口幅よりも広くすることにより形成される。
これにより、容易にポケットの抜け出しを防止することができる。
【００１３】
ポケットは、平板状のベースとシートとを重ねて溶着することにより構成される。ベースとシートとは、ポケットの出し入れ方向と、当該出し入れ方向に直交する方向の２方向を開放し、他の２方向を溶着させて形成される。
これにより、ポケットへの書類などの収納物の出し入れをし易くすることができる。
【００１４】
また、ベースとシートとは、いずれか一方を他方に比べ厚く構成されている。
これにより、ポケットに収納された書類などによって、当該ポケットの薄く構成された例えばシート側のみを膨らますことができるようにして、厚く構成された例えばベースを冷蔵庫のドアの前面部などの取付壁面に接触しやすくすることができる。
また、各ポケットを、それぞれ、同一の側が厚いベース又はシートとなるようにケースに収納する（例えば、厚いベース／薄いシート／厚いベース／薄いシート・・・となるように各ポケットをケースに収納する）と、一のシートと他のシートの接点を少なくできるので、ポケットを出し入れする際の引っ掛かり（例えば溶着部分などでの引っ掛かり）を防止できる。
【００１５】
ポケットのベースとシートとの厚く構成された一方には、磁石が設けられる。
ポケットは、収納された書類などによって、主に薄く構成された側、例えばシート側が膨らむため、薄く構成された一方に磁石を接着した場合は、収容された書類などによる膨らみによって、磁石と冷蔵庫のドアの前面部などの取付壁面とが接触できないようになることを防止するためである。
【００１６】
また、磁石は、好ましくは、ポケットに接着された後、フィルムにより覆われることで段差を無くして構成される。
これにより、磁石とポケットとの段差が無くなり、ポケット同士の出し入れの際に引っ掛かり難くなり、スムーズなポケットの出し入れが可能となる。
【００１７】
ケースの表面には、当該ケースの端辺で当該ケースから開くように構成された表紙部を備える。当該表紙部が開いた状態において外部に露出する部分に収容物保持手段を備えている。収容物保持手段は、例えば表紙部の内側と、ケースの前面材とにそれぞれシートを貼り付けることにより形成される。
これにより、一つの書類の左端と右端とを左側と右側との収容物保持手段にそれぞれ挿入することで、ケースに収納しきれない大きさの書類など、例えばケースがＡ４の用紙を収納するように設定されている場合に、その倍の大きさのＡ３の用紙を収納することができる。
【００１８】
本発明に係る第２のファイルは、ケースには、開口部を複数備えており、各開口部からそれぞれホルダーが出し入れされるようにホルダーが収納されている
これにより、複数方向からポケットを収納することができ、ファイルが取り付けられる取付壁面に応じてポケットの収納方向を変化させることができる。
【発明の効果】
【００１９】
本願各発明は、以上のように構成されているので、以下に記載されるような効果を奏する。
すなわち、本願各発明によれば、ケースから使用者の希望する量のみポケットを露出した状態を保持することができる。
また、複数のポケットを視認可能な状態で保持することができる。
【図面の簡単な説明】
【００２０】
【図１】ファイルの表紙部を開いた状態を示す斜視図である。
【図２】図１の状態からポケットを引き出した状態を示す斜視図である。
【図３】ファイルの背面側の斜視図である。
【図４】ポケットを引き出した状態を前面側から見た状態の、抜け出し防止片と、抜け出し防止突片を説明するための部分断面図である。
【図５】図４の状態を左側面側から見た状態の部分断面図である。
【図６】ケースを展開した状態を示す展開図である。
【図７】ポケットの平面図である。
【図８】ポケットをベースとシートとに分離した状態を説明するための説明図である。
【図９】ポケットの磁石の状態を説明するための説明図である。
【図１０】図７のポケットとは異なる種類のポケットの平面図である。
【図１１】図７のポケットをベースとシートとに分離し、穴部を説明するための説明図である。
【図１２】図１の状態からポケットを複数個引き出した状態を示す斜視図である。
【図１３】図７のポケットとは異なる種類のポケットの平面図である。
【図１４】本発明の第２の実施の形態の一例を示し、同図はケースの複数方向からポケットを引き出した状態を示す斜視図である。
【発明を実施するための形態】
【００２１】
本発明の実施例を、図面を用いて以下に説明する。
この実施例に係るファイル10は、図１に示すように、大別すると、次のパーツを備える。
（１）ケース100
（２）ポケット200
【００２２】
（ケース100）
ケース100は、図１及び図６に示すように、例えば薄板状のポリプロピレンなどの合成樹脂素材をプレス裁断機などを用いて裁断した１枚の板状部材から形成されている。
具体的には、ケース100は、図６に示すように、前面材102と、前面材102に対向する位置に設けられる後面材103と、ケース100内に収納する書類などの厚み方向に互いに対向する左右の側面材104,105と、ケース100内に収納する書類などを保持する底面材106とを、図１に示すように、薄肉のヒンジH1〜H7の部分で、開口部101を上面側に備えた箱状に折り合わせることにより形成される。
【００２３】
ケース100は、図１に示すように、次の各部を備える。
（１）表紙部110
（２）収容物保持手段120,121
（３）抜け出し防止部130
（４）磁石140
（５）面ファスナー150
（６）ホワイトボード部160
【００２４】
（表紙部110）
表紙部110は、図１に示すように、ケース100の表面に設けられ、当該ケース100の端辺で当該ケース100から開くように構成された板状のものである。
【００２５】
また、表紙部110の端辺をケース100側に折り返した折り返し片111の内側であって、磁石112の裏側には、図１に示すように、面ファスナー113を備えている。
これにより、ケース100の側面に設けられた面ファスナー150に貼り付き、表紙部110が不用意に開くことを防止することができる。
【００２６】
また、表紙部110の端辺をケース100側に折り返した折り返し片111の外側には、図１に示すように、磁石112を備えている。
これにより、表紙部110を開いた場合に、当該表紙部110が磁石112により冷蔵庫に吸着し、表紙部110が不用意に閉じることを防止することができる。
【００２７】
（収容物保持手段120,121）
収容物保持手段120,121は、表紙部110が開いた状態において外部に露出する部分、具体的には、図１に示すように、表紙部110の内側とケース100の前面材102とに左右一対になるように設けられ、ケース100以上の大きさの収納物を入れるためのものである。
【００２８】
具体的には、収容物保持手段120,121は、ポリプロピレンなどの透明なシートから構成され、表紙部110の内側に設けられる左側収容物保持手段120は、上辺120a及び右辺120bを開放し、左辺120c及び下辺120dを表紙部110に溶着させ、ケース100の前面材102側に設けられる右側収容物保持手段121は、上辺121a及び左辺121cを開放し、右辺121b及び下辺121dをケース100の前面材102に溶着させることにより形成される。
これにより、一つの書類の左端と右端とを左側と右側との収容物保持手段120,121にそれぞれ挿入することで、ケース100に収納しきれない大きさの書類など、例えばケース100がＡ４の用紙を収納するように設定されている場合に、その倍の大きさのＡ３の用紙を収納することができる。
【００２９】
（抜け出し防止部130）
抜け出し防止部130は、図４及び図５に示すように、ケース100の開口部101側に設けられ、ポケット200の抜け出しを防止するためのものである。
抜け出し防止部130は、開口部101の両端を狭めることにより形成され、具体的には、図６に示すように、ケース100の後面材103の上部側を、上辺部を残して四角形状にくり抜き、当該上辺部をヒンジH8として、くり抜いた四角形状の後面板の一部を前面材102に渡るように約９０度折り曲げた後に、前面材102の内側に抜け出し防止部130の先端に形成された接続片131を貼り付けて形成される。
【００３０】
（磁石140）
磁石140は、シート状に形成されており、図３に示すように、ケース100の後面材103の外面側に設けられる。
かかる磁石140により、ファイル10を冷蔵庫のドアの前面部などに吸着させるようにしている。
なお、磁石140はシート状のものに限定されず、円盤状のものであっても良い。
【００３１】
（面ファスナー150）
面ファスナー150は、図１に示すように、ケース100の右側面材104に設けられる。
これにより、表紙部110に設けられた面ファスナー113と貼り付き、表紙部110が不用意に開くことを防止することができる。
【００３２】
（ホワイトボード部160）
ホワイトボード部160とは、専用マーカーによる筆記とイレーザーによる消去が可能なものであり、典型的には、図６に示すように、表紙部110の外面側をポリプロピレン加工することによって形成される。
なお、ホワイトボード部160は、表表紙部110の外面側に、ポリプロピレン加工された薄い金属板を接着することによって形成しても良い。このように構成した場合は、ホワイトボード部160に磁石などを吸着することができ、メモ用紙などを手軽に貼り付けることができる。
【００３３】
（ケース100の組み立て方法の説明）
つぎに、図６を用いて、ケース100の組み立て方法を説明する。
ケース100は、４つの側壁部分を構成する前面材102、後面材103、及び左右の側面材104,105と、底面材106とが、図６に示すように、薄肉のヒンジH1〜H7の部分により折り合わされて上面に開口部101を有する箱形に形成されている。
前面材102には、図６に示すように、左側面材104,105との接続片102aが薄肉のヒンジH6を介して設けられている。接続片102aは、ケース100の折り合わせ時に、左側面材104,105の内側へ折り込まれて超音波溶着などにより一体化される。
底面材106は、図６に示すように、前面材102と薄肉のヒンジH5を介して設けられている。
後面材103には、図６に示すように、底面材106との接続片103aが薄肉のヒンジH7を介して設けられている。接続片103aは、ケース100の折り合わせ時に、底面材106の内側へ折り込まれて、底面材106と超音波溶着などにより一体化される。
なお、接続片103aは、底面材106の内側へ折り込まれる場合に限定されず、底側へ折り込まれても良い。
また、抜け出し防止部130には、図６に示すように、前面材102との接続片131が薄肉のヒンジH8を介して設けられている。接続片131は、ケース100の折り合わせ時に、前面材102の内側に角度が約９０度になるように折り込まれて超音波溶着などにより一体化される。
【００３４】
（ポケット200）
ポケット200は、図７及び図８に示すように、平板状のベース210とシート220とから構成され、ベース210とシート220との間に書類などを収納可能なものである。
【００３５】
具体的には、ポケット200は、ベース210とシート220とを重ねて溶着することにより形成される。
なお、図８に示すように、シート220の高さ方向の長さをベース210の高さ方向の長さに比べ長くなるように形成し、当該長く形成された接続片221をベース210に重ねるように折り畳み、当該折り畳んだ部分を溶着させるようにしても良い。
このように構成した場合は、後述する抜け出し防止突片230を補強することができる。
【００３６】
溶着は、図７に示すように、ポケット200の出し入れ方向（例えば上側）と、当該出し入れ方向に直交する方向（例えば右側）との２方向を開放し、他の２方向（例えば下側と左側）を溶着させている。
これにより、１方向のみ開放した場合に比べ、ポケット200に収納された書類などを取り出しやすくすることができる。
なお、ポケット200の種類は、図１３に示すように１枚のシート220とベース210に溶着させる場合、図７に示すように１枚のシート220を４つに分けるようにベース210に溶着させる場合、図１０及び図１１に示すように１枚のシート220を上下の２つに分けるようにベース210に溶着させる場合などがあるが、これに限定されない。
【００３７】
また、ベース210とシート220とは、いずれか一方、例えばベース210を、他方、例えばシート220に比べ厚く構成している。
これにより、ポケット200に収納された書類などによって、当該ポケット200の薄く構成された例えばシート220側のみを膨らますことができるようにして、厚く構成された例えばベース210を冷蔵庫のドアの前面部などの取付壁面に接触しやすくすることができる。
【００３８】
また、厚く構成された例えばベース210には、穴部211を備えている。
穴部211は、図１０及び図１１に示すように、ベース210の高さ方向の所定の位置に設けられ、取付壁面側に位置するポケット200の取付壁面とは反対側に位置するポケット200の磁石213を吸着しやすくするためのものである。
これにより、図１２に示すように、ベース210の高さ方向の途中でポケット200を固定でき、一部のみ視認可能な状態を保持することができる。
なお、穴部211は、ベース210に実際に孔が開いている場合に限定されず、磁石213の磁力を通すように、ベース210の高さ方向の所定の位置を他のベース210の部分と比べ薄く形成することにより構成しても良い。
【００３９】
ポケット200は、図７に示すように、次の各部を備える。
（１）抜け出し防止突片230
抜け出し防止突片230は、抜け出し防止片の一例であり、図７に示すように、ポケット200を引き出す際に、ケース100から抜け出すことを防止するためのものであり、ポケット200の下端部を左右方向に突出させて構成される。
具体的には、抜け出し防止突片230は、ポケット200を、抜け出し防止部130により狭められた開口部101の開口幅と同じ幅又は当該開口幅よりも狭い幅に形成し、当該ポケット200の下端部を抜け出し防止部130により狭められた開口部101の開口幅よりも広くすることにより形成される。
これにより、抜け出し防止突片230は、図４及び図５に示すように、ポケット200が全て視認可能な状態にされる際に、抜け出し防止部130に当たり、ポケット200が抜け出さないようにしている。
【００４０】
（２）磁石213
磁石213は、図９に示すように、ポケット200の上部に設けられた見出し部212の背面側に設けられ、ファイル10が吸着される冷蔵庫のドアの前面部などに吸着されるものである。
これにより、ファイル10が吸着される冷蔵庫のドアの前面部などに、ポケット200を引き出した状態で吸着させることができる。
具体的には、磁石213は、ポケット200のベース210とシート220との厚く構成された一方、例えばベース210に接着される。ポケット200は、収納された書類などによって、主に薄く構成された側、例えばシート220側が膨らむため、薄く構成された一方に磁石213を接着した場合は、収容された書類などによる膨らみによって、磁石213と冷蔵庫のドアの前面部などの取付壁面とが接触できないようになることを防止するためである。
【００４１】
また、磁石213は、図９に示すように、当該磁石213の背面側からポケット200の背面側にかけて、フィルム214により覆われるように設けられる。
これにより、磁石213とポケット200との段差が無くなり、ポケット200同士の出し入れの際に引っ掛かり難くなり、スムーズなポケット200の出し入れが可能となる。
【００４２】
（第２の実施の形態）
つぎに、図１４を用いて、本発明の第２の実施の形態について説明する。
本実施の形態の特徴は、図１４に示すように、本実施の形態の特徴は、図１４に示すように、ケース100の開口部101を上面側だけでなく、複数例えば側面側にも設け、各開口部からそれぞれホルダーが出し入れされるようにホルダーが収納されている点である。
本実施の形態によれば、複数方向からポケットを収納することができ、ファイルが取り付けられる取付壁面に応じてポケットの収納方向を変化させることができる。
なお、本実施の形態の説明では、先に図１〜図１３を用いて説明した第１の実施の形態と同一の構成部分については、同一の符号を付して説明を省略する。
【符号の説明】
【００４３】
10  ファイル                100  ケース
101  開口部                  102  前面材
102a  接続片                 103  後面材
103a  接続片                 104  右側面材
105  左側面材                106  底面材
110  表紙部                  111  折り返し片
112  磁石                    113  面ファスナー
120,121  収容物保持手段      130  抜け出し防止部
131  接続片                  140  磁石
150  面ファスナー            160  ホワイトボード部
H1〜H8  ヒンジ
200  ポケット                210  ベース
211  穴部                    212  見出し部
213  磁石                    214  フィルム
220  シート                  221  接続片
230  抜け出し防止突片
【図１】
2010274610.tif 000003
【図２】
2010274610.tif 000004
【図３】
2010274610.tif 000005
【図４】
2010274610.tif 000006
【図５】
2010274610.tif 000007
【図６】
2010274610.tif 000008
【図７】
2010274610.tif 000009
【図８】
2010274610.tif 000010
【図９】
2010274610.tif 000011
【図１０】
2010274610.tif 000012
【図１１】
2010274610.tif 000013
【図１２】
2010274610.tif 000014
【図１３】
2010274610.tif 000015
【図１４】
2010274610.tif 000016